(57)【特許請求の範囲】
【請求項１】
画像データが記憶される画像データ記憶手段と、前記画像データ記憶手段に設けられ、少なくとも所定の箱番号が予め付される複数のメモリボックスと、受信画像データや読み込まれた画像データを指定された前記メモリボックスに格納する格納手段と、発呼側から指定された前記メモリボックスに格納されている画像データを発呼側に転送するように指示する転送命令を検出する転送命令検出手段と、前記転送命令を検出した場合に、この転送命令の指定する箱番号に一致する箱番号が付された前記メモリボックスの画像データを発呼側に転送する画像転送手段とを備えたファクシミリ装置において、
前記転送命令の指定する箱番号の指定方法が有効か否か判断するとともに、前記転送命令の指定する箱番号の指定方法が有効か否か判断する場合において、前記転送命令検出手段によって検出された箱番号が１桁の場合には、２桁目に０をセットして判断する判断手段を備え、
前記転送命令を検出した場合において、前記判断手段によりこの転送命令の指定する箱番号の指定方法が有効でないと判断された場合には、前記画像転送手段は、各メモリボックスの登録内容に係る所定の画像データを発呼側に転送することを特徴とするファクシミリ装置。
【請求項２】
前記所定の画像データは、操作マニュアルを表す画像データを含んでいることを特徴とする請求項１に記載のファクシミリ装置。
【請求項３】
前記転送命令を検出した場合において、前記判断手段は、また、この転送命令の指定する箱番号と一致する箱番号が付されたメモリボックスが有るか否かを判断する機能を有し、その判断手段によってこの転送命令の指定する箱番号と一致する箱番号が付されたメモリボックスが無いと判断された場合には、前記画像転送手段は、前記所定の画像データを発呼側に転送することを特徴とする請求項２に記載のファクシミリ装置。
【請求項４】
前記メモリボックスは所定の暗証番号が付された親展ボックスを含み、前記転送命令を検出した場合において、この転送命令の指定する箱番号に一致する箱番号のメモリボックスが前記親展ボックスである時、前記判断手段は、さらに、その親展ボックスに付された暗証番号と転送命令の指定する暗証番号とが一致するか否かを判断する機能を有し、その判断手段によって暗証番号が一致しないと判断された場合に、前記画像転送手段は、前記所定の画像データを発呼側に転送することを特徴とする請求項３に記載
のファクシミリ装置。
【請求項５】
前記転送命令を検出した場合において、この転送命令の指定する箱番号のメモリボックスに画像データが格納されていない場合には、前記画像転送手段は、前記所定の画像データを発呼側に転送することを特徴とする請求項４に記載のファクシミリ装置。
【請求項６】
前記操作マニュアルは、少なくとも前記箱番号および暗証番号の指定方法を含むことを特徴とする請求項５に記載のファクシミリ装置。
【発明の詳細な説明】
【０００１】
【発明の属する技術分野】
本発明は、リモート情報取り出し機能を備えたファクシミリ装置に関し、特に、リモート情報取り出し時に発呼側の指定した箱番号と暗証番号に一致する箱番号と暗証番号が付されたボックスが無い場合や、一致するボックスが有っても画像データが格納されていない場合には、情報提供側の操作方法やデータ登録内容の一覧等の画像データを発呼側へ転送することにより、発呼側が、操作方法の誤りやデータの有無がエラーの原因で有ることを容易に知ることが可能なファクシミリ装置に関するものである。
【０００２】
【従来の技術】
従来より、ファクシミリ装置においては、画像データ記憶メモリに設けられたボックスに記憶されている画像データを発呼側に転送するリモート情報取り出し機能に関し各種提案がされている。
例えば、特開平８−１６８００９号公報に記載されたファクシミリ装置では、初期識別手順中の応答受信中にＤＴＭＦリモート開始コマンドを受信した場合に、ＤＴＭＦリモート制御手順へ移行するリモート手順移行手段と、上記ＤＴＭＦリモート制御手順内においてＤＴＭＦ信号を解析するＤＴＭＦ解析手段と、指定されたメモリボックスに画像を蓄積する蓄積手段と、メモリボックス内の画像を転送する画像転送手段と、蓄積あるいは受信画像を格納するためのメモリボックスを開設するメモリボックス開設手段とを有し、ＤＴＭＦリモート制御手順において、リモート指示された命令がメモリボックス内の画像の転送指示である場合に、ＤＴＭＦ信号内に格納されたＩＴＵ−Ｔに準拠したサブアドレスおよび／またはパスワードと一致するサブアドレスおよび／またはパスワードを所有するメモリボックスを確定し、ＤＴＭＦリモート制御手順終了後、当該メモリボックスの画像を転送する構成となっている。
これにより、ＤＴＭＦ命令で指示された命令がメモリボックス内の画像転送である場合、ＤＴＭＦリモート制御手順において、ＤＴＭＦ信号内に格納されたサブアドレス、パスワードと一致するサブアドレス、パスワードを所有するメモリボックスを確定し、ＤＴＭＦリモート制御手順終了後、メモリボックスの画像を転送することができる。
【０００３】
【発明が解決しようとする課題】
しかしながら、特開平８−１６８００９号公報に記載されたファクシミリ装置おいては、ＤＴＭＦ信号内に格納されたＩＴＵ−Ｔに準拠したサブアドレス、パスワードの桁数や使用可能キャラクタが受信側のファクシミリ装置によって異なる場合や、このサブアドレス、パスワードと一致するサブアドレス、パスワードを所有するメモリボックスに画像が記憶されていない場合には、エラーとなり、回線が開放されるため、情報取り出し側、即ち発呼側は、エラーの原因が回線障害なのかどうか知ることができないという問題がある。
【０００４】
そこで、本発明は、上述した問題点を解決するためになされたものであり、リモート情報取り出し時に発呼側の指定した箱番号と暗証番号に一致する箱番号と暗証番号が付されたメモリボックスが無い場合や、一致するメモリボックスが有っても画像データが格納されていない場合には、情報提供側の操作方法やデータ登録内容の一覧等の画像データを発呼側へ転送することにより、発呼側が、メモリボックスの指定方法の誤りや登録データの有無等がエラーの原因で有ることを容易に知ることが可能なファクシミリ装置を提供することを目的とする。
【０００５】
【課題を解決するための手段】
前記目的を達成するため請求項１に係るファクシミリ装置は、画像データが記憶される画像データ記憶手段と、前記画像データ記憶手段に設けられ、少なくとも所定の箱番号が予め付される複数のメモリボックスと、受信画像データや読み込まれた画像データを指定された前記メモリボックスに格納する格納手段と、発呼側から指定された前記メモリボックスに格納されている画像データを発呼側に転送するように指示する転送命令を検出する転送命令検出手段と、前記転送命令を検出した場合に、この転送命令の指定する箱番号に一致する箱番号が付された前記メモリボックスの画像データを発呼側に転送する画像転送手段とを備えたファクシミリ装置において、前記転送命令の指定する箱番号の指定方法が有効か否か判断するとともに、前記転送命令の指定する箱番号の指定方法が有効か否か判断する場合において、前記転送命令検出手段によって検出された箱番号が１桁の場合には、２桁目に０をセットして判断する判断手段を備え、前記転送命令を検出した場合において、前記判断手段によりこの転送命令の指定する箱番号の指定方法が有効でないと判断された場合には、前記画像転送手段は、各メモリボックスの登録内容に係る所定の画像データを発呼側に転送することを特徴とする。
【０００６】
このような特徴を有する請求項１に係るファクシミリ装置によれば、前記転送命令検出手段により転送命令を検出した場合に、この転送命令の指定する箱番号の桁数や使用キャラクタ等の間違いのため、この転送命令の指定する箱番号の指定方法が有効でないと判断された場合には、各メモリボックスの登録内容に係る所定の画像データが発呼側に転送される。
これにより、発呼側は、転送命令の箱番号の指定方法が間違っていてエラーが発生した場合において、各メモリボックスの登録内容に係る所定の画像データが転送されてくるため、そのエラーの原因が、回線障害によるものでないことを知ることができると共に、この各メモリボックスの登録内容に係る所定の画像データに基づいて転送命令の修正等を行って、当該ファクシミリ装置の希望するメモリボックスに登録されている画像データを確実に得ることができる。
【０００７】
更に、前記転送命令検出手段によって検出された箱番号が１桁の場合には、２桁目に０をセットしてこの箱番号の指定方法が有効か否かを判断する。
これにより、転送命令の指定する箱番号が１〜９の１桁の数字である場合には、この箱番号の上側２桁目に０をセットして「０１」〜「０９」の２桁の数字として箱番号の指定方法の有効性が判断されるため、このような箱番号の入力間違いは、エラーとなることなく、発呼側は、この転送命令の指定する１桁の箱番号に対応する２桁の箱番号が付されたメモリボックスに登録されている画像データを確実に得ることができる。
【０００８】
また、請求項２に係るファクシミリ装置は、請求項１に記載のファクシミリ装置において、前記所定の画像データは、操作マニュアルを表す画像データを含んでいることを特徴とする。
【０００９】
このような特徴を有する請求項２に係るファクシミリ装置によれば、請求項１に記載のファクシミリ装置において、前記所定の画像データは、操作マニュアルを表す画像データであるため、発呼側は、転送命令の箱番号の指定方法が間違っていてエラーが発生した場合において、操作マニュアルを表す画像データが転送されてくるため、そのエラーの原因が、回線障害でないことを知ることができると共に、転送される操作マニュアルに基づいて転送命令の修正等を行って、当該ファクシミリ装置の希望するメモリボックスに登録さ
れている画像データを確実に得ることができる。
【００１０】
また、請求項３に係るファクシミリ装置は、請求項２に記載のファクシミリ装置において、前記転送命令を検出した場合において、前記判断手段は、また、この転送命令の指定する箱番号と一致する箱番号が付されたメモリボックスが有るか否かを判断する機能を有し、その判断手段によってこの転送命令の指定する箱番号と一致する箱番号が付されたメモリボックスが無いと判断された場合には、前記画像転送手段は、前記所定の画像データを発呼側に転送することを特徴とする。
【００１１】
このような特徴を有する請求項３に係るファクシミリ装置によれば、請求項２に記載のファクシミリ装置において、転送命令の指定する箱番号が有効であると判断された後、この箱番号と一致する箱番号が付されたメモリボックスが無い場合には、操作マニュアルを表す所定の画像データが発呼側に転送される。
これにより、発呼側は、転送命令の指定した箱番号が付されたメモリボックスが無い場合には、操作マニュアルを表す所定の画像データによって、当該ファクシミリ装置の各メモリボックスに付された箱番号の入力方法に関する正確な情報を得ることができるため、転送命令の箱番号を容易に修正することができると共に、希望するメモリボックスに記憶されている画像データを確実に得ることができる。
【００１２】
また、請求項４に係るファクシミリ装置は、請求項３に記載のファクシミリ装置において、前記メモリボックスは所定の暗証番号が付された親展ボックスを含み、前記転送命令を検出した場合において、この転送命令の指定する箱番号に一致する箱番号のメモリボックスが前記親展ボックスである時、前記判断手段は、さらに、その親展ボックスに付された暗証番号と転送命令の指定する暗証番号とが一致するか否かを判断する機能を有し、その判断手段によって暗証番号が一致しないと判断された場合に、前記画像転送手段は、前記所定の画像データを発呼側に転送することを特徴とする。
【００１３】
このような特徴を有する請求項４に係るファクシミリ装置によれば、請求項３に記載のファクシミリ装置において、転送命令の指定する箱番号の付されたメモリボックスが親展ボックスであって、この親展ボックスに付された暗証番号と転送命令の指定する暗証番号とが一致しない場合には、操作マニュアルを表す所定の画像データが発呼側に転送される。
これにより、発呼側は、エラーが回線障害によるものではなく、転送命令の指定方法の間違いに基づくものであることを知ることができる。また、転送命令の指定した親展ボックスの暗証番号の桁数等が間違っている場合において、操作マニュアルに示される当該ファクシミリ装置の親展ボックスに付された暗証番号の桁数や使用可能キャラクタ等の入力方法に関する正確な情報に基づいて転送命令の指定する親展ボックスの暗証番号を容易に修正することができると共に、希望する親展ボックスに記憶されている画像データを確実に得ることができる。
【００１４】
また、請求項５に係るファクシミリ装置は、請求項４に記載のファクシミリ装置において、前記転送命令を検出した場合において、この転送命令の指定する箱番号のメモリボックスに画像データが格納されていない場合には、前記画像転送手段は、前記所定の画像データを発呼側に転送することを特徴とする。
【００１５】
このような特徴を有する請求項５に係るファクシミリ装置によれば、請求項４に記載のファクシミリ装置において、転送命令の指定する箱番号と一致する箱番号が付されたメモリボックスに画像データが記憶されていない場合には、操作マニュアルを表す所定の画像データが発呼側に転送される。
これにより、発呼側は、エラーが回線障害によるものではなく、転送命令の指定方法の
間違いに基づくものであることを知ることができる。また、転送命令の箱番号や暗証番号等の指定方法が間違っているか否かを操作マニュアルを表す所定の画像データに基づいて判断することができるため、指定方法が間違っていない場合には、転送命令の指定する箱番号の付されたメモリボックスに画像データが登録されていないことを知ることができる。
【００１６】
また、請求項６に係るファクシミリ装置は、請求項５に記載のファクシミリ装置において、前記操作マニュアルは、少なくとも前記箱番号および暗証番号の指定方法を含むことを特徴とする。
【００１７】
このような特徴を有する請求項６に係るファクシミリ装置によれば、請求項５に記載のファクシミリ装置において、発呼側に転送された前記操作マニュアルには、箱番号及び暗証番号の指定方法が記載されている。
これにより、発呼側は、エラーが回線障害によるものではなく、転送命令の指定方法の間違いに基づくものであることを知ることができる。また、転送命令の箱番号や暗証番号等の指定方法が間違っている場合には、この操作マニュアルに基づいて、転送命令の指定する箱番号及び暗証番号を容易に修正することができると共に、希望するメモリボックスに記憶されている画像データを確実に得ることができる。
【００１８】
【００１９】
【００２０】
【発明の実施の形態】
以下、本発明に係るファクシミリ装置について具体化した実施形態に基づいて図面を参照しつつ詳細に説明する。先ず、本実施形態に係るファクシミリ装置の概略構成について図１に基づき説明する。図１は本実施形態に係るファクシミリ装置の要部の回路ブロック図である。
【００２１】
図１において、ファクシミリ装置の概略回路構成は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、及び表示部１４等を備えている。ＣＰＵ１、ＮＣＵ２、ＲＡＭ３、モデム４、ＲＯＭ５、ＥＥＰＲＯＭ６、ゲートアレイ７、コーデック８、及びＤＭＡＣ９は、バス線により相互に接続されている。また、ゲートアレイ７には、読取部１１、記録部１２、操作部１３、及び表示部１４が接続されている。また、ＮＣＵ２には、モデム４、及び電話回線２１が接続されている。
【００２２】
ＣＰＵ１は、ファクシミリ装置全体を制御する。ＮＣＵ２は、電話回線２１に接続されて網制御を行う。ＲＡＭ３は、画像情報や音声データ等の各種ディジタルデータを一時記憶するものであり、受信された親展の画像データや読取部１１で読み取られた親展の画像データが個々に記憶される複数のメモリボックスである親展ボックス３１からなる親展画像データ記憶エリア３Ａ、および受信された掲示板の画像データや読取部１１で読み取られた掲示板の画像データが個々に記憶される複数のメモリボックスである掲示板ボックス３２からなる掲示板画像データ記憶エリア３Ｂ等が設けられている。
また、モデム４は、送信データの変調や受信データの復調等を行う。ＲＯＭ５は、ファクシミリ機能等を実行するのに必要な各種プログラムやデータ等を記憶している。また、ＥＥＰＲＯＭ６は、操作マニュアル等を表す複数の画像データ、各種の登録データやフラッグ等を記憶している。ゲートアレイ７は、ＣＰＵ１の入出力インターフェースとして機能する。コーデック８は、モデム４により復調された受信画像データを復号し、また、送信画像データを符号化してモデム４に送り、モデム４に変調させる。ＤＭＡＣ９は、ＲＡＭ３等へのメモリアクセスを制御する。読取部１１は、光源やＣＣＤセンサや原稿送りモータ等を備えており原稿を読み取って画像信号を出力する。記録部１２は、熱転写プリンタあるいはレーザプリンタ等からなり、画像データに基づいて記録用紙上に画像を記録する印字手段を構成する。操作部１３は、キースイッチ群等からなり、使用者の操作に応じた操作信号を出力する。さらに、表示部１４は、小型ＬＣＤ等からなり、ＣＰＵ１により制御されて各種の表示を行う表示手段を構成する。
【００２３】
また、ＣＰＵ１は、電話回線２１を介して入力されるファクシミリ通信の発呼側の転送命令を検出する転送命令検出手段を構成している。また、ＲＡＭ３は、画像データ記憶手段を構成し、親展画像データ記憶エリア３Ａの各親展ボックス３１は、後述する箱番号と暗証番号とが付されており、また、掲示板画像データ記憶エリア３Ｂの各掲示板ボックス３２は、後述する箱番号が付されている。
また、ＣＰＵ１は、電話回線２１を介して受信した画像データや読取部１１を介して読み込まれた画像データを指定された各メモリボックス３１、３２に格納する格納手段を構成する。さらに、ＣＰＵ１、コーデック９、モデム８、およびＮＣＵ２により画像転送手段を構成している。
【００２４】
次に、このように構成されたファクシミリ装置の転送命令受信時における、画像転送の処理について図２乃至図４に基づいて説明する。図２は本実施形態に係るファクシミリ装置の画像転送制御手順を示すメインフローチャートである。図３は本実施形態に係るファクシミリ装置の画像転送制御手順における箱番号チェック処理のサブフローチャートである。図４は本実施形態に係るファクシミリ装置の画像転送制御手順におけるエラー時ファイル処理のサブフローチャートである。
【００２５】
図２に示す処理は、ＮＣＵ２を介して発呼側のファクシミリ装置からの転送命令が検出されることに基づいて開始され、ステップ（以下、Ｓと略記する）１において、この転送命令に含まれる必要情報がＲＡＭ３に格納される。この必要情報としては、発呼側のファクシミリ装置が掲示板ボックス３２内の画像データの転送を要求している場合には、「箱番号」と「転送先、即ち発呼側の電話番号」であり、発呼側のファクシミリ装置が親展ボックス３１内の画像データの転送を要求している場合には、「箱番号」と「暗証番号」と「転送先、即ち発呼側の電話番号」である。尚、これらの必要情報は、例えば、発呼側のファクシミリ装置におけるファンクション設定において、発呼者が掲示板ボックスを選択するか、親展ボックスを選択するかによってどの情報を入力するかがそれぞれ指示されるように構成されている。
そして、上記必要情報がＲＡＭ３に格納された後、箱番号チェック処理のサブルーチン処理が行われる。
ここで、本実施形態に係る発呼側の転送命令のフォーマットは、「スタートコード＋メモリボックスの箱番号（２０桁のアスキーコード）＋暗証番号（２０桁のアスキーコード）＋転送先の電話番号＋ストップコード」の形式となっている。尚、本実施形態においては、メモリボックスの箱番号の有効桁数は、３桁であり、使用可能キャラクタは、０〜９の数字である。また、暗証番号の有効桁数は、４桁であり、使用可能キャラクタは、＃、＊と０〜９の数字である。また、本実施形態のファクシミリ装置の親展ボックス３１の箱番号は、３桁の数字であり、また、掲示板ボックス３２の箱番号は０１〜９９の２桁の数字である。
【００２６】
箱番号チェック処理（Ｓ１）は、図３に示されるように、最初に転送命令の箱番号をＲＡＭ３から読み込み、この箱番号の有効桁数をチェックし、３桁以下の数字か否か判断する（Ｓ１５）。そして、この箱番号が３桁以下の数字の場合は（Ｓ１５：ＹＥＳ）、有効桁数が１桁か否かを判断する（Ｓ１６）。そして、有効桁数が１桁でない場合には（Ｓ１６：ＮＯ）、即ち、有効桁数が２桁もしくは３桁の場合は、ＥＥＰＲＯＭ６に記憶されている箱番号有効フラッグをセット後、ＲＡＭ３に記憶されている転送命令の箱番号にこの２桁もしくは３桁の数字を再度、代入して、メイン処理に戻る（Ｓ１８）。
また、Ｓ１６において、有効桁数が１桁の場合には（Ｓ１６：ＹＥＳ）、即ち、「１」〜「９」の数字の場合には、上２桁目に０をセットして「０１」〜「０９」の２桁の数字とする（Ｓ１７）。そして、ＥＥＰＲＯＭ６に記憶されている箱番号有効フラッグをセット後、ＲＡＭ３に記憶されている転送命令の箱番号にこの「０１」〜「０９」の２桁の数字を再度、代入して、メイン処理に戻る（Ｓ１８）。
【００２７】
また、Ｓ１５において、箱番号の有効桁数が４桁以上の場合においては（Ｓ１５：ＮＯ）、４桁目以上の有効桁が全て０で、且つ３桁目以下が数字の場合は（Ｓ１９：ＹＥＳ）、ＥＥＰＲＯＭ６に記憶されている箱番号有効フラッグをセット後、ＲＡＭ３に記憶されている転送命令の箱番号にこの３桁目以下の数字を再度、代入して、メイン処理に戻る（Ｓ１８）。
また、Ｓ１５において、箱番号の有効桁数が４桁以上の場合において（Ｓ１５：ＮＯ）、４桁目以上の有効桁が全て０で無い場合、または、３桁以下の数字でない場合は（Ｓ１９：ＮＯ）、ＥＥＰＲＯＭ６に記憶されている箱番号有効フラッグをリセット後、メイン処理に戻る（Ｓ２０）。
【００２８】
次に、図２に示されるように、箱番号有効フラッグをＥＥＰＲＯＭ６から読み込み、セットされているか否か判定する（Ｓ２）。そして、箱番号有効フラッグがセットされていない場合は（Ｓ２：ＮＯ）、即ち箱番号有効フラッグがリセットされている場合には、Ｓ３において、エラー時ファイル処理のサブルーチン処理が実行される。
【００２９】
エラー時ファイル処理（Ｓ３）は、図４に示されるように、最初に、操作マニュアルを表す画像データをＥＥＰＲＯＭ６から読み込む（Ｓ２１）。この操作マニュアルは、親展箱及び掲示板から登録情報を取り出すときの操作マニュアルであり、その一例を図５に示す。図５は本実施形態に係る親展箱及び掲示板から登録情報を取り出すときの操作マニュアルを表す画像データの一例を示す図である。
【００３０】
ここで、図５に示されるこの画像データ２０について説明する。先ず、「親展箱から情報を取り出すとき」と「掲示板から情報を取り出すとき」の見出しが設けられている。
そして、「親展箱から情報を取り出すとき」の見出しの下方には、親展箱から情報を取り出す操作手順が、順番に１番から８番まで配置されている。１番目には、「１．機能キーを押します。」が記載されている。２番目には、「２．（数字キーで）１と０キーを押します。」が記載されている。３番目には、「３．箱番号を入力します。」、そして、その下側に「・箱番号は１０１〜１０５の３桁の数字です。」が記載されている。４番目には、「４．セットキーを押します。」が記載されている。５番目には、「５．暗証番号を入力します。」、そして、その下側に「・暗証番号は４桁です。」、さらに、その下側に「・使用可能キャラクタは、＃、＊と０〜９の数字です。」が記載されている。６番目には、「６．セットキーを押します。」が記載されている。７番目には、「７．宛先を指定し、セットキーを押します。」、そして、その下側に「間違えたときは、クリアキーを押して入力し直します。」が記載されている。さらに、８番目には、「８．スタートキーを押します。」、そして、その下側に「「受け付けました」と表示されます。」が記載されている。これは、表示部１４に、「受け付けました」の文字が、表示されることを表すものである。
【００３１】
また、「掲示板から情報を取り出すとき」の見出しの下方には、掲示板から情報を取り出す操作手順が、順番に１番から６番まで配置されている。１番目には、「１．機能キーを押します。」が記載されている。２番目には、「２．（数字キーで）１と１キーを押します。」が記載されている。３番目には、「３．箱番号を入力します。」、そして、その下側に「・箱番号は０１〜９９の２桁の数字です。」が記載されている。４番目には、「４．セットキーを押します。」が記載されている。５番目には、「５．宛先を指定し、セットキーを押します。」、そして、その下側に「間違えたときは、クリアキーを押して入力し直します。」が記載されている。さらに、６番目には、「６．スタートキーを押します。」、そして、その下側に「「受け付けました」と表示されます。」が記載されている。これは、表示部１４に、「受け付けました」の文字が、表示されることを表すものである。
【００３２】
次に、Ｓ２２において、この読み込んだ画像データ２０をＲＡＭ３に格納する。そして、このＲＡＭ３に格納した画像データ２０に対応するファイル番号を送信ファイルに設定する（Ｓ２３）。
その後、ＲＡＭ３に記憶されている転送命令の箱番号に「０１」の数字を代入する（Ｓ２４）。そして、掲示板ボックス３２の各箱番号に対応するファイル番号のデータを掲示板画像データ記憶エリア３Ｂから読み込み（Ｓ２５）、この箱番号「０１」に一致する箱番号の掲示板ボックス３２に格納されているファイル番号を選択し、この選択したファイル番号を送信ファイルに追加設定して、ＲＡＭ３に格納する（Ｓ２６）。その後、メインフローチャートに戻る。
【００３３】
ここで、箱番号「０１」の掲示板ボックス３２に登録されている画像データについて図６に基づいて説明する。図６は本実施形態に係る箱番号「０１」の掲示板ボックス３２に登録されている画像データの一例を示す図である。
図６に示されるように、箱番号が「０１」の掲示板ボックス３２に格納されている画像データ２１は、本実施形態のファクシミリ装置の各メモリボックス３１、３２に登録されている情報の案内に関するものである。先ず、「親展、掲示板の登録内容」の見出しが設けられている。
そして、「親展、掲示板の登録内容」の見出しの下方には、「１．親展箱」と「２．掲示板」との小見出しが設けられている。そして、「１．親展箱」の小見出しの下方には、各親展箱の箱番号とこの親展箱の使用者名の一覧表２２が、記載されている。この一覧表２２は、「箱番号が１０１の親展ボックス３１の使用者は、山田」、「箱番号が１０２の親展ボックス３１の使用者は、鈴木」、「箱番号が１０３の親展ボックス３１の使用者は、田中」、「箱番号が１０４の親展ボックス３１の使用者は、佐藤」、および「箱番号が１０５の親展ボックス３１の使用者は、山本」であることを表している。
【００３４】
また、「２．掲示板」の小見出しの下方には、各掲示板ボックス３２の箱番号と登録内容の一覧表２３が、記載されている。この一覧表２３は、「箱番号が０１の掲示板ボックス３２の内容は、登録情報案内」、「箱番号が０２の掲示板ボックス３２の内容は、新製品情報」、「箱番号が０３の掲示板ボックス３２の内容は、バージョンアップ情報」、「箱番号が１１の掲示板ボックス３２の内容は、Ｆコードについて」、「箱番号が１２の掲示板ボックス３２の内容は、親展機能について」、および「箱番号が１３の掲示板ボックス３２の内容は、掲示板機能について」であることを表している。
さらに、この一覧表２３の下方には、「＊データが登録されているもののみ掲載しています。」と記載されている。
【００３５】
次に、このエラー時ファイル処理（Ｓ３）のサブルーチン処理を実行後、この送信ファイルのメモリ送信を設定する（Ｓ６）。
【００３６】
また、Ｓ２において、箱番号有効フラッグがセットされている場合は（Ｓ２：ＹＥＳ）、次に、ＲＡＭ３から転送命令の箱番号を読み込み、２桁の数字か否か、即ち、０１〜９９の数字か否か判定する（Ｓ７）。そして、この箱番号が０１〜９９の数字であった場合は（Ｓ７：ＹＥＳ）、掲示板ボックス３２の各箱番号に対応するファイル番号のデータを掲示板画像データ記憶エリア３Ｂから読み込み（Ｓ８）、この箱番号に一致する箱番号の掲示板ボックス３２に格納されている画像データのファイル番号が有るか否か判定する（Ｓ９）。そして、この掲示板ボックス３２に格納されているファイル番号が有れば（Ｓ９：ＹＥＳ）、この掲示板ボックス３２に格納されているファイル番号を選択して、送信ファイルとしてＲＡＭ３に格納する（Ｓ５）。その後、この送信ファイルのメモリ送信を設定する（Ｓ６）。
また、Ｓ９において、この掲示板ボックス３２に格納されているファイル番号が無ければ（Ｓ９：ＮＯ）、前記エラー時ファイル処理（Ｓ３）のサブルーチン処理を実行し、その後、この送信ファイルのメモリ送信を設定する（Ｓ６）。
【００３７】
次に、Ｓ７において、ＲＡＭ３から読み込んだ転送命令の箱番号が、０１〜９９の２桁の数字でない場合は（Ｓ７：ＮＯ）、この箱番号が１０１〜１０５の数字か否か判定する（Ｓ１０）。そして、この箱番号が１０１〜１０５の数字でない場合は（Ｓ１０：ＮＯ）、前記エラー時ファイル処理（Ｓ３）のサブルーチン処理を実行し、その後、この送信ファイルのメモリ送信を設定する（Ｓ６）。
【００３８】
また、Ｓ１０において、ＲＡＭ３から読み込んだ転送命令の箱番号が、１０１〜１０５の数字の場合は（Ｓ１０：ＹＥＳ）、ＲＡＭ３から転送命令の暗証番号を読み込み、この暗証番号が、転送命令の箱番号と一致する箱番号が付された親展ボックス３１の暗証番号と一致するか否か判定する（Ｓ１１）。そして、転送命令の暗証番号が、この親展ボックス３１の暗証番号と一致しない場合には（Ｓ１１：ＮＯ）、前記エラー時ファイル処理（Ｓ３）のサブルーチン処理を実行し、その後、この送信ファイルのメモリ送信を設定する（Ｓ６）。
【００３９】
また、Ｓ１１において、転送命令の暗証番号が、この親展ボックス３１の暗証番号と一致する場合には（Ｓ１１：ＹＥＳ）、親展ボックス３１の各箱番号に対応するファイル番号のデータを親展画像データ記憶エリア３Ａから読み込み（Ｓ１２）、転送命令の箱番号に一致する箱番号が付された親展ボックス３１に格納されている画像データのファイル番号が有るか否か判定する（Ｓ９）。そして、この親展ボックス３１に格納されているファイル番号が有れば（Ｓ９：ＹＥＳ）、この親展ボックス３１に格納されているファイル番号を選択して、送信ファイルとしてＲＡＭ３に格納する（Ｓ５）。その後、この送信ファイルのメモリ送信を設定する（Ｓ６）。
【００４０】
また、Ｓ９において、この親展ボックス３１に格納されているファイル番号が無ければ（Ｓ９：ＮＯ）、前記エラー時ファイル処理（Ｓ３）のサブルーチン処理を実行し、その後、この送信ファイルのメモリ送信を設定する（Ｓ６）。
【００４１】
以上詳細に説明した通り本実施形態に係るファクシミリ装置では、発呼側からの転送命令を検出すると、例えば、その転送命令が、掲示板ボックス３２の登録データの転送を要求するものであれば、この転送命令の「メモリボックスの箱番号」、および「転送先の電話番号」がＲＡＭ３に格納され、箱番号チェック処理（Ｓ１）の実行により「メモリボックスの箱番号」の有効性、即ち指定方法の適否が判断され、この「メモリボックスの箱番号」が「０」〜「９」の１桁の数字の場合には、上側２桁目に０がセットされ、「０１」〜「０９」の２桁の数字として、再度、ＲＡＭ３の「メモリボックスの箱番号」に格納されて、ＥＥＰＲＯＭ６の箱番号有効フラッグがセットされる。その後、箱番号が有効で、且つ、画像データが登録されている掲示板ボックス３２の箱番号である場合は（Ｓ７：ＹＥＳ、Ｓ９：ＹＥＳ）、この掲示板ボックス３２に登録されている画像データが発呼側にメモリ送信される（Ｓ５、Ｓ６）。また、親展ボックス３１の登録データの転送を要求するものであれば、さらに転送命令に「暗証番号」が含まれ、箱番号が有効で、親展ボックス３１の箱番号であって、且つ、暗証番号も一致した場合には（Ｓ１０：ＹＥＳ、Ｓ１１：ＹＥＳ）、この親展ボックス３１に登録されている画像データが発呼側にメモリ送信される（Ｓ５、Ｓ６）。さらに、発呼側からの転送命令の「メモリボックスの箱番号」の指定方法が違っている場合や（Ｓ２：ＮＯ）、該当する箱番号の付されたメモリボックスに画像データ登録されていない場合や（Ｓ９：ＮＯ）、転送命令の「暗証番号」が違っている場合には（Ｓ１１：ＮＯ）、エラー時ファイル処理（Ｓ３）のサブルーチン処理が実行され、親展箱及び掲示板から登録情報を取り出すときの操作マニュアルを表す画像データ２０と、箱番号が「０１」の掲示板ボックス３２に格納されている各メモリボックスの「登録情報案内」を表す画像データ２１とが、発呼側に転送される。（Ｓ３、Ｓ６）。
【００４２】
したがって、発呼側は、親展ボックス３１、掲示板ボックス３２から登録データを取り出そうとしてエラーが生じた場合、エラーが回線障害によるものではなく、転送命令の指定方法等の間違いに基づくものであることを知ることができる。また、転送命令の箱番号や暗証番号等の指定方法が間違っている場合には、この操作マニュアル２０に基づいて、転送命令の指定する箱番号及び暗証番号を容易に修正することができると共に、希望するメモリボックスに記憶されている画像データを確実に得ることができる。また、指定方法が間違っていない場合には、転送命令の指定する箱番号の付されたメモリボックスに画像データが登録されていないことを知ることができると共に、各メモリボックス３１、３２の登録内容等の正確な情報に基づいて、希望する画像データが格納されているメモリボックスの箱番号等を正確に指定することができる。さらに、転送命令の指定する箱番号が１〜９の１桁の数字である場合には、この箱番号の上側２桁目に０をセットして「０１」〜「０９」の２桁の数字として箱番号の指定方法の有効性が判断されるため、このような箱番号の入力間違いは、エラーとなることなく、発呼側は、この転送命令の指定する１桁の箱番号に対応する２桁の箱番号が付されたメモリボックスに登録されている画像データを確実に得ることができる。
【００４３】
尚、本発明は前記実施形態に限定されることはなく、本発明の要旨を逸脱しない範囲内で種々の改良、変形が可能であり、以下のようにしてもよい。
（ａ）前記実施形態では、親展ボックス３１を箱番号１０１〜１０５の５個にしたが、６個以上でもよい。
（ｂ）前記実施形態では、掲示板ボックス３２を箱番号０１〜０３、１１から１３の６個にしたが、７個以上でもよい。
（ｃ）前記実施形態では、箱番号「０１」の掲示板ボックス３２の画像データは、予め登録しておくようになっているが、各メモリボックス３１、３２の登録データに基づいて自動作成されるようにしてもよい。
（ｄ）前記実施形態では、箱番号「０１」の掲示板ボックス３２の画像データを転送するようにしているが、情報取り出し方法に関する画像データは、任意の箱番号の掲示板ボックス３２に登録してもよい。
（ｅ）前記実施形態では、発呼側からの「箱番号」や「暗証番号」をＤＴＭＦ信号により送信するようになっているが、ファクシミリ装置の伝送制御手順でこれらの情報を指示するようにしてもよい。
【００４４】
【発明の効果】
以上説明した通り請求項１に係るファクシミリ装置では、前記転送命令検出手段により転送命令を検出した場合に、この転送命令の指定する箱番号の桁数や使用キャラクタ等の間違いのため、この転送命令の指定する箱番号の指定方法が有効でないと判断された場合には、各メモリボックスの登録内容に係る所定の画像データが発呼側に転送される。
これにより、発呼側は、転送命令の箱番号の指定方法が間違っていてエラーが発生した場合において、各メモリボックスの登録内容に係る所定の画像データが転送されてくるため、そのエラーの原因が、回線障害によるものでないことを知ることができると共に、この各メモリボックスの登録内容に係る所定の画像データに基づいて転送命令の修正等を行って、当該ファクシミリ装置の希望するメモリボックスに登録されている画像データを確実に得ることができるファクシミリ装置を提供することができる。
そして、前記転送命令検出手段によって検出された箱番号が１桁の場合には、２桁目に０をセットしてこの箱番号の指定方法が有効か否かを判断する。
これにより、転送命令の指定する箱番号が１〜９の１桁の数字である場合には、この箱番号の上側２桁目に０をセットして「０１」〜「０９」の２桁の数字として箱番号の指定方法の有効性が判断されるため、このような箱番号の入力間違いは、エラーとなることなく、発呼側は、この転送命令の指定する１桁の箱番号に対応する２桁の箱番号が付されたメモリボックスに登録されている画像データを確実に得ることができるファクシミリ装置を提供することができる。
【００４５】
また、請求項２に係るファクシミリ装置では、請求項１に記載のファクシミリ装置において、前記所定の画像データは、操作マニュアルを表す画像データを含んでいるため、発呼側は、転送命令の箱番号の指定方法が間違っていてエラーが発生した場合において、操作マニュアルを表す画像データが転送されてくるため、そのエラーの原因が、回線障害でないことを知ることができると共に、転送される操作マニュアルに基づいて転送命令の修正等を行って、当該ファクシミリ装置の希望するメモリボックスに登録されている画像データを確実に得ることができるファクシミリ装置を提供することができる。
【００４６】
また、請求項３に係るファクシミリ装置では、請求項２に記載のファクシミリ装置において、転送命令の指定する箱番号が有効であると判断された後、この箱番号と一致する箱番号が付されたメモリボックスが無い場合には、操作マニュアルを表す所定の画像データが発呼側に転送される。
これにより、発呼側は、転送命令の指定した箱番号が付されたメモリボックスが無い場合には、操作マニュアルを表す所定の画像データによって、当該ファクシミリ装置の各メモリボックスに付された箱番号の入力方法に関する正確な情報を得ることができるため、転送命令の箱番号を容易に修正することができると共に、希望するメモリボックスに記憶されている画像データを確実に得ることができるファクシミリ装置を提供することができる。
【００４７】
また、請求項４に係るファクシミリ装置では、請求項３に記載のファクシミリ装置において、転送命令の指定する箱番号の付されたメモリボックスが親展ボックスであって、この親展ボックスに付された暗証番号と転送命令の指定する暗証番号とが一致しない場合には、操作マニュアルを表す所定の画像データが発呼側に転送される。
これにより、発呼側は、エラーが回線障害によるものではなく、転送命令の指定方法等の間違いに基づくものであることを知ることができるファクシミリ装置を提供することができる。また、転送命令の指定した親展ボックスの暗証番号の桁数等が間違っている場合において、操作マニュアルに示される当該ファクシミリ装置の親展ボックスに付された暗証番号の桁数や使用可能キャラクタ等の入力方法に関する正確な情報に基づいて転送命令の指定する親展ボックスの暗証番号を容易に修正することができると共に、希望する親展ボックスに記憶されている画像データを確実に得ることができるファクシミリ装置を提供
することができる。
【００４８】
また、請求項５に係るファクシミリ装置では、請求項４に記載のファクシミリ装置において、転送命令の指定する箱番号と一致する箱番号が付されたメモリボックスに画像データが記憶されていない場合には、操作マニュアルを表す所定の画像データが発呼側に転送される。
これにより、発呼側は、エラーが回線障害によるものではなく、転送命令の指定方法等の間違いによるものであることを知ることができるファクシミリ装置を提供することができる。また、転送命令の箱番号や暗証番号等の指定方法が間違っているか否かを操作マニュアルを表す所定の画像データに基づいて判断することができるため、指定方法が間違っていない場合には、転送命令の指定する箱番号の付されたメモリボックスに画像データが登録されていないことを知ることができるファクシミリ装置を提供することができる。
【００４９】
また、請求項６に係るファクシミリ装置では、請求項５に記載のファクシミリ装置において、発呼側に転送された前記操作マニュアルには、箱番号及び暗証番号の指定方法が記載されている。
これにより、発呼側は、エラーが回線障害によるものではなく、転送命令の指定方法等の間違いに基づくものであることを知ることができるファクシミリ装置を提供することができる。また、転送命令の箱番号や暗証番号等の指定方法が間違っている場合には、この操作マニュアルに基づいて、転送命令の指定する箱番号及び暗証番号を容易に修正することができると共に、希望するメモリボックスに記憶されている画像データを確実に得ることができるファクシミリ装置を提供することができる。
【００５０】
【図面の簡単な説明】
【図１】本実施形態に係るファクシミリ装置の要部の回路ブロック図である。
【図２】本実施形態に係るファクシミリ装置の画像転送制御手順を示すメインフローチャートである。
【図３】本実施形態に係るファクシミリ装置の画像転送制御手順における箱番号チェック処理のサブフローチャートである。
【図４】本実施形態に係るファクシミリ装置の画像転送制御手順におけるエラー時ファイル処理のサブフローチャートである。
【図５】本実施形態に係る親展箱及び掲示板から登録情報を取り出すときの操作マニュアルを表す画像データの一例を示す図である。
【図６】本実施形態に係るファクシミリ装置の箱番号が「０１」の掲示板メモリボックスに登録
されている画像データの一例を示す図である。
【符号の説明】
１                  ＣＰＵ
２                  ＮＣＵ
３                  ＲＡＭ
３Ａ 親展画像データ記憶エリア
３Ｂ                掲示板画像データ記憶エリア
４                  モデム
６                  ＥＥＰＲＯＭ
【図１】
0003747614.tif 000002
【図２】
0003747614.tif 000003
【図３】
0003747614.tif 000004
【図４】
0003747614.tif 000005
【図５】
0003747614.tif 000006
【図６】
0003747614.tif 000007